(57)【要約】【課題】印刷用紙の違いによって生じる色再現の相違に対して、少ない測色負荷、少ない演算負荷、高い精度で予測対象用紙における色再現を予測する色再現予測方法、およびその色再現のためのプロファイル作成方法を提供する。【解決手段】予測対象用紙に印刷された特定数のカラーパッチの測色値に基づいて、基準用紙プロファイルにおける色材量値と測色値に対し用紙色補正、階調補正、色度補正をその順番にすくなくとも１つ行って前記カラーパッチの印刷色を予測し、その予測した前記印刷色と前記測色値との色差が許容範囲内であれば引き続く補正を止めて前記予測対象用紙における任意の印刷色を予測するようにした色再現予測方法、およびその色再現のためのプロファイル作成方法。【選択図】  図１
2006121124.tif 000002
【特許請求の範囲】
【請求項１】
予測対象用紙に印刷された特定数のカラーパッチの測色値に基づいて、基準用紙プロファイルにおける色材量値と測色値に対し用紙色補正、階調補正、色度補正をその順番にすくなくとも１つ行って前記カラーパッチの印刷色を予測し、その予測した前記印刷色と前記測色値との色差が許容範囲内であれば引き続く補正を止めて前記予測対象用紙における任意の印刷色を予測することを特徴とする印刷色予測方法。
【請求項２】
請求項１記載の印刷色予測方法において、前記予測対象用紙に印刷されたカラーパッチは、色材の種類をｎ個としたとき、色材量値を０％、１００％とする色の組合せで構成される２＾ｎ個のカラーパッチと、０％、１００％以外の任意の％を持つ１次色のカラーパッチｎ個からなる（２＾ｎ＋ｎ）個を最小個数とすることを特徴とする印刷色予測方法。
【請求項３】
請求項１記載の印刷色予測方法において、前記予測対象用紙に印刷されたカラーパッチは、色材の種類をＣ，Ｍ，Ｙ，Ｋの４個としたとき、色材量値をＣ１００％、Ｍ１００％、Ｙ１００％、Ｋ１００％、Ｃ１００％＋Ｍ１００％、Ｍ１００％＋Ｙ１００％、Ｙ１００％＋Ｃ１００％、Ｃ１００％＋Ｍ１００％＋Ｙ１００％とする色の組合せで構成される８個のカラーパッチと、０％、１００％以外の任意の％を持つ１次色のカラーパッチ４個からなる１２個とすることを特徴とする印刷色予測方法。
【請求項４】
請求項１〜３のいずれかに記載の印刷色予測方法において、前記階調補正は前記基準用紙プロファイルにおける１次色と、前記予測対象用紙に印刷された前記カラーパッチにおける１次色との色差を最小とする階調補正であることを特徴とする印刷色予測方法。
【請求項５】
請求項１，２，４のいずれかに記載の印刷色予測方法において、前記色度補正は色材の種類をｎ個としたとき、色材量値を０％、１００％とする色の組合せで構成される２＾ｎ個の前記予測対象用紙に印刷された前記カラーパッチの測色値と、基準用紙プロファイルにおける測色値との色差を網点再現したときの２＾ｎ個の面積率に応じて加算する色度補正であることを特徴とする印刷色予測方法。
【請求項６】
請求項１，３，４のいずれかに記載の印刷色予測方法において、前記色度補正は色材の種類をＣ，Ｍ，Ｙ，Ｋの４個としたとき、色材量値をＣ１００％、Ｍ１００％、Ｙ１００％、Ｋ１００％、Ｃ１００％＋Ｍ１００％、Ｍ１００％＋Ｙ１００％、Ｙ１００％＋Ｃ１００％、Ｃ１００％＋Ｍ１００％＋Ｙ１００％とする色の組合せで構成される８個の前記予測対象用紙に印刷された前記カラーパッチの測色値と、基準用紙プロファイルにおける測色値との色差を網点再現したときの８個の面積率に応じて加算する色度補正であることを特徴とする印刷色予測方法。
【請求項７】
予測対象用紙に印刷された特定数のカラーパッチの測色値に基づいて、基準用紙プロファイルにおける色材量値と測色値に対し用紙色補正、階調補正、色度補正をその順番にすくなくとも１つ行って前記カラーパッチの印刷色を予測し、その予測した前記印刷色と前記測色値との色差が許容範囲内であれば引き続く補正を止めて前記予測対象用紙のプロファイルを作成することを特徴とするプロファイル作成方法。
【発明の詳細な説明】
【技術分野】
【０００１】
本発明はカラーイメージデータを処理する技術分野に属する。特に、印刷用紙の違いによって生じる色再現の相違を考慮して、コンピュータシステム等を使用して少ない測色負荷で色再現特性の変化を予測する色再現予測方法およびその予測のためのプロファイル作成方法に関する。
【背景技術】
【０００２】
印刷用紙が相違するときには用紙の色とインキ受容性が変化する。用紙の色の変化は明るい色においては反映され易く、それだけに色再現特性の変化が大きい。また、インキ受容性の変化は階調再現特性に変化を生じ、全体の色再現特性に変化がおよぶ。
印刷用紙が相違するときの色再現に関して、従来技術としては、下記の特許文献が存在する。
【特許文献１】特開２００３−２７１３２７
【特許文献２】特開２００１−８０６７５７
【特許文献３】特開平１０−１９１０８７
【特許文献４】特開平０６−２０９４１７
【０００３】
特許文献１と特許文献２においては、印刷用紙の色の変化による色再現の変化だけが考慮されインキ受容性の変化については考慮されていない。
特許文献３においては、２次色までは考慮されているが、印刷用紙のインキ受容性の変化を考慮した３次色以上の測色が行われておらず、３次以上の色予測に大きな誤差を生じる危険性がある。
特許文献４においては、４次色まで考慮した測色が行われているが、６＾４個のカラーチャートを測色する必要性があり測色負荷が高いという問題がある。なお、ここでＡ＾ＢはＡのＢ乗を意味し、たとえば、２＾３＝２×２×２＝８である。
【発明の開示】
【発明が解決しようとする課題】
【０００４】
本発明は上記の問題を解決するために成されたものである。その目的は、印刷用紙の違いによって生じる色再現の相違に対して、少ない測色負荷、少ない演算負荷、高い精度で予測対象用紙における色再現を予測する色再現予測方法、およびその色再現のためのプロファイル作成方法を提供することにある。
【課題を解決するための手段】
【０００５】
本発明の請求項１に係る印刷色予測方法は、予測対象用紙に印刷された特定数のカラーパッチの測色値に基づいて、基準用紙プロファイルにおける色材量値と測色値に対し用紙色補正、階調補正、色度補正をその順番にすくなくとも１つ行って前記カラーパッチの印刷色を予測し、その予測した前記印刷色と前記測色値との色差が許容範囲内であれば引き続く補正を止めて前記予測対象用紙における任意の印刷色を予測するようにしたものである。
また本発明の請求項２に係る印刷色予測方法は、請求項１に係る印刷色予測方法において、前記予測対象用紙に印刷されたカラーパッチは、色材の種類をｎ個としたとき、色材量値を０％、１００％とする色の組合せで構成される２＾ｎ個のカラーパッチと、０％、１００％以外の任意の％を持つ１次色のカラーパッチｎ個からなる（２＾ｎ＋ｎ）個を最小個数とするようにしたものである。
また本発明の請求項３に係る印刷色予測方法は、請求項１に係る印刷色予測方法において、前記予測対象用紙に印刷されたカラーパッチは、色材の種類をＣ（Ｃｙａｎ），Ｍ（Ｍａｇｅｎｔａ），Ｙ（Ｙｅｌｌｏｗ），Ｋ（Ｂｌａｃｋ）の４個としたとき、色材量値をＣ１００％、Ｍ１００％、Ｙ１００％、Ｋ１００％、Ｃ１００％＋Ｍ１００％、Ｍ１００％＋Ｙ１００％、Ｙ１００％＋Ｃ１００％、Ｃ１００％＋Ｍ１００％＋Ｙ１００％とする色の組合せで構成される８個のカラーパッチと、０％、１００％以外の任意の％を持つ１次色のカラーパッチ４個からなる１２個とするようにしたものである。
また本発明の請求項４に係る印刷色予測方法は、請求項１〜３のいずれかに係る印刷色予測方法において、前記階調補正は前記基準用紙プロファイルにおける１次色と、前記予測対象用紙に印刷された前記カラーパッチにおける１次色との色差を最小とする階調補正であるようにしたものである。
また本発明の請求項５に係る印刷色予測方法は、請求項１，２，４のいずれかに記載の印刷色予測方法において、前記色度補正は色材の種類をｎ個としたとき、色材量値を０％、１００％とする色の組合せで構成される２＾ｎ個の前記予測対象用紙に印刷された前記カラーパッチの測色値と、基準用紙プロファイルにおける測色値との色差を網点再現したときの２＾ｎ個の面積率に応じて加算する色度補正であるようにしたものである。
また本発明の請求項６に係る印刷色予測方法は、請求項１，３，４のいずれかに係る印刷色予測方法において、前記色度補正は色材の種類をＣ，Ｍ，Ｙ，Ｋの４個としたとき、色材量値をＣ１００％、Ｍ１００％、Ｙ１００％、Ｋ１００％、Ｃ１００％＋Ｍ１００％、Ｍ１００％＋Ｙ１００％、Ｙ１００％＋Ｃ１００％、Ｃ１００％＋Ｍ１００％＋Ｙ１００％とする色の組合せで構成される８個の前記予測対象用紙に印刷された前記カラーパッチの測色値と、基準用紙プロファイルにおける測色値との色差を網点再現したときの８個の面積率に応じて加算する色度補正であるようにしたものである。
また本発明の請求項７に係るプロファイル作成方法は、予測対象用紙に印刷された特定数のカラーパッチの測色値に基づいて、基準用紙プロファイルにおける色材量値と測色値に対し用紙色補正、階調補正、色度補正をその順番にすくなくとも１つ行って前記カラーパッチの印刷色を予測し、その予測した前記印刷色と前記測色値との色差が許容範囲内であれば引き続く補正を止めて前記予測対象用紙のプロファイルを作成するようにしたものである。
【発明の効果】
【０００６】
本発明の請求項１に係る印刷色予測方法によれば、用紙色補正、階調補正、色度補正をその順番にすくなくとも１つ行ってカラーパッチの印刷色を予測し、その予測した印刷色と測色値との色差が許容範囲内であれば引き続く補正を止める。したがって、印刷用紙の違いによって生じる色再現の相違に対して、少ない測色負荷、少ない演算負荷、しかも高い精度で色再現を予測する色再現予測方法が提供される。
また本発明の請求項２に係る印刷色予測方法によれば、予測対象用紙に印刷されたカラーパッチの個数は、色材の種類をｎ個としたとき（２＾ｎ＋ｎ）個を最小個数とする。したがって、最小個数（２＾ｎ＋ｎ）個の少ない測色負荷、少ない演算負荷、しかも高い精度で色再現を予測することができる。また、０％、１００％以外の任意の％を持つ１次色のカラーパッチの個数をｎ個よりも増やすことにより、より高い精度で色再現を予測することができる。
また本発明の請求項３に係る印刷色予測方法によれば、予測対象用紙に印刷されたカラーパッチにおける色材の種類はＣ，Ｍ，Ｙ，Ｋの４個であり、カラーパッチの個数は１２個である。したがって、最少限の少ない測色負荷、少ない演算負荷、しかも相応の高い精度で色再現を予測することができる。なお、この印刷色予測方法においては、網点面積率１００％のＫ（Ｂｌａｃｋ）、すなわちベタのＫがＣ，Ｍ，Ｙと掛け合わされたときの各色をすべてベタのＫが単独のときの色とすることによって、かなりのよい近似が得られるという経験則に基づいている。
また本発明の請求項４に係る印刷色予測方法によれば、階調補正は個数の少ない１次色のカラーパッチにおける色差を最小とする階調補正である。したがって、少ない階調補正の演算負荷で色再現を予測することができる。
また本発明の請求項５に係る印刷色予測方法によれば、色度補正は予測対象用紙に印刷された２＾ｎ個のカラーパッチについての面積率に応じて色差を加算する色度補正である。したがって、少ない色度補正の演算負荷で色再現を予測することができる。
また本発明の請求項６に係る印刷色予測方法によれば、色度補正は予測対象用紙に印刷された８個のカラーパッチについての面積率に応じて色差を加算する色度補正である。したがって、より少ない色度補正の演算負荷で色再現を予測することができる。
また本発明の請求項７に係るプロファイル作成方法によれば、用紙色補正、階調補正、色度補正をその順番にすくなくとも１つ行ってカラーパッチの印刷色を予測し、その予測した印刷色と測色値との色差が許容範囲内であれば引き続く補正を止める。したがって、印刷用紙の違いによって生じる色再現の相違に対して、少ない測色負荷、少ない演算負荷で作成でき、しかも高い精度で色再現するプロファイル作成方法が提供される。
【発明を実施するための最良の形態】
【０００７】
次に、本発明の実施の形態について図を参照しながら説明する。本発明の色再現予測方法およびプロファイル作成方法は、（１）予測対象用紙に印刷された特定数（本発明においては少数、たとえば２０で済む）のカラーパッチの測色値と（２）基準用紙プロファイルとの２つのデータに基づいて、（３）コンピュータシステムのソフトウェアとハードウェアによって実現される印刷色予測手段に適用される。
【０００８】
（１）予測対象用紙に印刷された特定数の測色値
測色値は、色材の種類をｎ個としたときには、ａ．色材量値を０％，１００％とする色の組合せで構成される２＾ｎ個のカラーパッチと、ｂ．色材量値を０％，１００％以外の任意の％とする１次色のｎ個のカラーパッチとからなる最低２＾ｎ＋ｎ個のカラーパッチの色で構成されるカラーパッチの測色値（Ｌ*ａ*ｂ*またはＸＹＺ）である。
たとえば、色材をＣ（Ｃｙａｎ），Ｍ（Ｍａｇｅｎｔａ），Ｙ（Ｙｅｌｌｏｗ），Ｋ（Ｂｌａｃｋ）の４色としたときには、
ａ．色材の組合せ色（２＾ｎ個＝２×２×２×２＝１６色）、すなわち、
白    ：Ｃ０％＋Ｍ０％＋Ｙ０％＋Ｋ０％（用紙色）
１次色：Ｃ１００％，Ｍ１００％，Ｙ１００％，Ｋ１００％
２次色：Ｃ１００％＋Ｍ１００％，Ｍ１００％＋Ｙ１００％，Ｙ１００％＋Ｃ１００％，Ｃ１００％＋Ｋ１００％，Ｍ１００％＋Ｋ１００％，Ｙ１００％＋Ｋ１００％
３次色：Ｃ１００％＋Ｍ１００％＋Ｙ１００％，Ｃ１００％＋Ｍ１００％＋Ｋ１００％，Ｍ１００％＋Ｙ１００％＋Ｋ１００％，Ｙ１００％＋Ｃ１００％＋Ｋ１００％，
４次色：Ｃ１００％＋Ｍ１００％＋Ｙ１００％＋Ｋ１００％
ｂ．一次色（４色）
０％および１００％以外の任意の網点％を有するＣ，Ｍ，Ｙ，Ｋの各々のカラーパッチ
【０００９】
（２）基準用紙プロファイル
基準用紙プロファイルは下記のいずれのものであってもよい。本発明は特定のものに限定されない。
ａ．基準用紙に対する印刷物の色ＣＭＹＫを測色値で定義したカラーテーブル
ｂ．数百色〜数千色を測色して得た測色値から演算して作成した高精度なカラーテーブル
ｃ．Japanカラー、ＳＷＯＰ，ＥＵＲＯスタンダードなどの標準プロファイル
ｄ．カラーテーブルの形式は問わない（ＩＣＣのデバイスプロファイルを含む）
【００１０】
（３）印刷色予測手段
印刷色予測手段は予測対象用紙に印刷した特定数カラーチャートの測色値から基準用紙プロファイルに対する用紙色、階調、色度差を補正することによって、予測対象用紙に対する印刷色を予測する（色再現予測方法）。
また印刷色予測手段は予測対象用紙に印刷した特定数カラーチャートの測色値から基準用紙プロファイルに対する用紙色、階調、色度差を補正することによって、予測対象用紙プロファイルを作成する（プロファイル作成方法）。
【００１１】
次に、本発明の色再現予測方法について具体例に基づいて説明する。本発明の色再現予測方法における処理過程の一例をフロー図として図１に示す。ここでは、標準的な印刷用紙（たとえばコート紙）に印刷したときの基準となるＩＣＣプロファイル（基準用紙プロファイル）が存在しておりそれを利用することができる。また印刷色の予測対象用紙に印刷した２０色のカラーパッチについての測色値が存在しているものとする。また２０色における補助４色は網点％が５０％であるものとする。
まず、図１のステップＳ１０１（基準用紙プロファイルの用紙色情報の補正）において、基準用紙プロファイルにおける用紙色情報を予測対象用紙の用紙色に置き換え、用紙色の測色値を補正する。
【００１２】
次に、ステップＳ１０２（予測結果）において、Ｓ１０１において得られたプロファイルを使用して、２０色のカラーパッチの色再現（Ｌ*ａ*ｂ*）を予測し、予測対象用紙において実測したカラーパッチの色再現（Ｌ*ａ*ｂ*）との色差を演算する。色差が所定の許容範囲内であるか否かを判定する。すなわち、２０色の各々の色差、または２０色の平均色差、または色差に対する累積度数が閾値以下であるか否かを判定する。許容範囲内であれば、そのプロファイルを予測対象用紙のプロファイルとし処理過程を終了する。許容範囲外であれば、ステップＳ１０３に進む。
【００１３】
次に、ステップＳ１０３（基準用紙プロファイルの階調補正）において、Ｓ１０１において得られたプロファイルにおけるＣＭＹＫ／Ｌ*ａ*ｂ*テーブルからＣＭＹＫ各１次色（０〜１００％）の測色値を抜き出し、予測対象用紙のＣＭＹＫ各１次色（０％，５０％，１００％）の測色値を色差最小で再現するようにＣＭＹＫ／ＣＭＹＫ補正カーブを作成し、その補正カーブにしたがってＳ１０１において得られるプロファイルのＣＭＹＫ／Ｌ*ａ*ｂ*テーブルを補正することによって階調補正する（図３参照）。ここで、１次色の測色値の比較は、Ｓ１０１において得られたプロファイルから抜き出すＬ*ａ*ｂ*、予測対象用紙のカラーパッチのＬ*ａ*ｂ*ともに、それぞれの用紙色Ｃ０％＋Ｍ０％＋Ｙ０％＋Ｋ０％が（Ｌ*ａ*ｂ*）＝（１００，０，０）となるように用紙相対測色値に変換した値を用いる。
【００１４】
次に、ステップＳ１０４（予測結果）において、Ｓ１０３において得られたプロファイルを使用して、２０色のカラーパッチの色再現（Ｌ*ａ*ｂ*）を予測し、予測対象用紙において実測したカラーパッチの色再現（Ｌ*ａ*ｂ*）との色差を演算する。色差が所定の許容範囲内であるか否かを判定する。すなわち、２０色の各々の色差、または２０色の平均色差、または色差に対する累積度数が閾値以下であるか否かを判定する。許容範囲内であれば、そのプロファイルを予測対象用紙のプロファイルとし処理過程を終了する。許容範囲外であれば、ステップＳ１０５に進む。
【００１５】
次に、ステップＳ１０５（基準用紙プロファイルの色度予測）において、Ｓ１０３において得られたプロファイルから、下記の数１に示す１６色に対するＬ*ａ*ｂ*を抜き出し、予測対象用紙のカラーパッチの１６色とのΔＬ，Δａ，Δｂを求める。
（数１）
白    ：Ｃ０％＋Ｍ０％＋Ｙ０％＋Ｋ０％（用紙色）
１次色：Ｃ１００％，Ｍ１００％，Ｙ１００％，Ｋ１００％
２次色：Ｃ１００％＋Ｍ１００％，Ｍ１００％＋Ｙ１００％，Ｙ１００％＋Ｃ１００％，Ｃ１００％＋Ｋ１００％，Ｍ１００％＋Ｋ１００％，Ｙ１００％＋Ｋ１００％
３次色：Ｃ１００％＋Ｍ１００％＋Ｙ１００％，Ｃ１００％＋Ｍ１００％＋Ｋ１００％，Ｍ１００％＋Ｙ１００％＋Ｋ１００％，Ｙ１００％＋Ｃ１００％＋Ｋ１００％，
４次色：Ｃ１００％＋Ｍ１００％＋Ｙ１００％＋Ｋ１００％
【００１６】
予測対象用紙において測色値を予測するＣＭＹＫ値を複数指定する。Ｓ１０３において得られたプロファイルから周知の補間法を適用した演算によって、その複数指定したＣＭＹＫ値に対応するＬ*ａ*ｂ*を算出する。
【００１７】
次に、ステップＳ１０６（予測結果の色度補正）において、その複数指定したＣＭＹＫ値を網点再現したときのステップＳ１０５の１６色の面積比率に応じて、ステップＳ１０５のΔＬ，Δａ，Δｂをその複数指定したＣＭＹＫ値に対応するＬ*ａ*ｂ*に加算する。これにより予測対象用紙におけるΔＬ，Δａ，Δｂを導出することができる。
【００１８】
たとえば、（Ｃ，Ｍ，Ｙ，Ｋ）＝（７０％，７０％，０％，０％）の色に対しては、次の数２に示す演算を行う。
（数２）
Ｃ０％＋Ｍ０％＋Ｙ０％＋Ｋ０％の網点面積率Ａｗ＝（１−Ｃ）・（１−Ｍ）・（１−Ｙ）・（１−Ｋ）＝０．０９
Ｃ１００％の網点面積率Ａｃ＝Ｃ・（１−Ｍ）・（１−Ｙ）・（１−Ｋ）＝０．２１
Ｍ１００％の網点面積率Ａｍ＝（１−Ｃ）・Ｍ・（１−Ｙ）・（１−Ｋ）＝０．２１
Ｙ１００％の網点面積率Ａｙ＝（１−Ｃ）・（１−Ｍ）・Ｙ・（１−Ｋ）＝０．００
Ｋ１００％の網点面積率Ａｋ＝（１−Ｃ）・（１−Ｍ）・（１−Ｙ）・Ｋ＝０．００
Ｃ１００％＋Ｍ１００％の網点面積率Ａｃｍ＝Ｃ・Ｍ・（１−Ｙ）・（１−Ｋ）＝０．４９
Ｍ１００％＋Ｙ１００％の網点面積率Ａｍｙ＝（１−Ｃ）・Ｍ・Ｙ・（１−Ｋ）＝０．００
Ｙ１００％＋Ｃ１００％の網点面積率Ａｙｃ＝Ｃ・（１−Ｍ）・Ｙ・（１−Ｋ）＝０．００
Ｃ１００％＋Ｋ１００％の網点面積率Ａｃｋ＝Ｃ・（１−Ｍ）・（１−Ｙ）・Ｋ＝０．００
Ｍ１００％＋Ｋ１００％の網点面積率Ａｍｋ＝（１−Ｃ）・Ｍ・（１−Ｙ）・Ｋ＝０．００
Ｙ１００％＋Ｋ１００％の網点面積率Ａｙｋ＝（１−Ｃ）・（１−Ｍ）・Ｙ・Ｋ＝０．００
Ｃ１００％＋Ｍ１００％＋Ｙ１００％の網点面積率Ａｃｍｙ＝Ｃ・Ｍ・Ｙ・（１−Ｋ）＝０．００
Ｃ１００％＋Ｍ１００％＋Ｋ１００％の網点面積率Ａｃｍｋ＝Ｃ・Ｍ・（１−Ｙ）・Ｋ＝０．００
Ｍ１００％＋Ｙ１００％＋Ｋ１００％の網点面積率Ａｍｙｋ＝（１−Ｃ）・Ｍ・Ｙ・Ｋ＝０．００
Ｙ１００％＋Ｃ１００％＋Ｋ１００％の網点面積率Ａｙｃｋ＝Ｃ・（１−Ｍ）・Ｙ・Ｋ＝０．００
Ｃ１００％＋Ｍ１００％＋Ｙ１００％＋Ｋ１００％の網点面積率Ａｃｍｙｋ＝Ｃ・Ｍ・Ｙ・Ｋ＝０．００
【００１９】
上記の（Ｃ，Ｍ，Ｙ，Ｋ）＝（７０％，７０％，０％，０％）の色に対して予測対象用紙のＬ*ａ*ｂ*は、下記の数３に示す式に、上記の式で求めた網点面積率Ａｗ，Ａｃ，Ａｍ，Ａｙ，Ａｃｍ，Ａｍｙ，Ａｙｃ，Ａｃｋ，Ａｍｋ，Ａｙｋ，Ａｃｍｙ，Ａｃｍｋ，Ａｍｙｋ，Ａｙｃｋ，Ａｃｍｙｋを代入すればよい。
（数３）
予測対象用紙のＬ*ａ*ｂ*
＝［Ｓ１０３において得られたプロファイルの（Ｃ，Ｍ，Ｙ，Ｋ）＝（７０％，７０％，０％，０％）に対応するＬ*ａ*ｂ*］
＋Ａｗ・（［予測対象用紙カラーパッチ（Ｃ，Ｍ，Ｙ，Ｋ）＝（０％，０％，０％，０％）のＬ*ａ*ｂ*］−［Ｓ１０３において得られたプロファイルの（Ｃ，Ｍ，Ｙ，Ｋ）＝（０％，０％，０％，０％）に対応するＬ*ａ*ｂ*］）
＋Ａｃ・（［予測対象用紙カラーパッチ（Ｃ，Ｍ，Ｙ，Ｋ）＝（１００％，０％，０％，０％）のＬ*ａ*ｂ*］−［Ｓ１０３において得られたプロファイルの（Ｃ，Ｍ，Ｙ，Ｋ）＝（１００％，０％，０％，０％）に対応するＬ*ａ*ｂ*］）
＋Ａｍ・（［予測対象用紙カラーパッチ（Ｃ，Ｍ，Ｙ，Ｋ）＝（０％，１００％，０％，０％）のＬ*ａ*ｂ*］−［Ｓ１０３において得られたプロファイルの（Ｃ，Ｍ，Ｙ，Ｋ）＝（０％，１００％，０％，０％）に対応するＬ*ａ*ｂ*］）
＋Ａｙ・（［予測対象用紙カラーパッチ（Ｃ，Ｍ，Ｙ，Ｋ）＝（０％，０％，１００％，０％）のＬ*ａ*ｂ*］−［Ｓ１０３において得られたプロファイルの（Ｃ，Ｍ，Ｙ，Ｋ）＝（０％，０％，１００％，０％）に対応するＬ*ａ*ｂ*］）
＋Ａｋ・（［予測対象用紙カラーパッチ（Ｃ，Ｍ，Ｙ，Ｋ）＝（０％，０％，０％，１００％）のＬ*ａ*ｂ*］−［Ｓ１０３において得られたプロファイルの（Ｃ，Ｍ，Ｙ，Ｋ）＝（０％，０％，０％，１００％）に対応するＬ*ａ*ｂ*］）
＋Ａｃｍ・（［予測対象用紙カラーパッチ（Ｃ，Ｍ，Ｙ，Ｋ）＝（１００％，１００％，０％，０％）のＬ*ａ*ｂ*］−［Ｓ１０３において得られたプロファイルの（Ｃ，Ｍ，Ｙ，Ｋ）＝（１００％，１００％，０％，０％）に対応するＬ*ａ*ｂ*］）
＋Ａｍｙ・（［予測対象用紙カラーパッチ（Ｃ，Ｍ，Ｙ，Ｋ）＝（０％，１００％，１００％，０％）のＬ*ａ*ｂ*］−［Ｓ１０３において得られたプロファイルの（Ｃ，Ｍ，Ｙ，Ｋ）＝（０％，１００％，１００％，０％）に対応するＬ*ａ*ｂ*］）
＋Ａｙｃ・（［予測対象用紙カラーパッチ（Ｃ，Ｍ，Ｙ，Ｋ）＝（１００％，０％，１００％，０％）のＬ*ａ*ｂ*］−［Ｓ１０３において得られたプロファイルの（Ｃ，Ｍ，Ｙ，Ｋ）＝（１００％，０％，１００％，０％）に対応するＬ*ａ*ｂ*］）
＋Ａｃｋ・（［予測対象用紙カラーパッチ（Ｃ，Ｍ，Ｙ，Ｋ）＝（１００％，０％，０％，１００％）のＬ*ａ*ｂ*］−［Ｓ１０３において得られたプロファイルの（Ｃ，Ｍ，Ｙ，Ｋ）＝（１００％，０％，０％，１００％）に対応するＬ*ａ*ｂ*］）
＋Ａｍｋ・（［予測対象用紙カラーパッチ（Ｃ，Ｍ，Ｙ，Ｋ）＝（０％，１００％，０％，１００％）のＬ*ａ*ｂ*］−［Ｓ１０３において得られたプロファイルの（Ｃ，Ｍ，Ｙ，Ｋ）＝（０％，１００％，０％，１００％）に対応するＬ*ａ*ｂ*］）
＋Ａｙｋ・（［予測対象用紙カラーパッチ（Ｃ，Ｍ，Ｙ，Ｋ）＝（０％，０％，１００％，１００％）のＬ*ａ*ｂ*］−［Ｓ１０３において得られたプロファイルの（Ｃ，Ｍ，Ｙ，Ｋ）＝（０％，０％，１００％，１００％）に対応するＬ*ａ*ｂ*］）
＋Ａｃｍｙ・（［予測対象用紙カラーパッチ（Ｃ，Ｍ，Ｙ，Ｋ）＝（１００％，１００％，１００％，０％）のＬ*ａ*ｂ*］−［Ｓ１０３において得られたプロファイルの（Ｃ，Ｍ，Ｙ，Ｋ）＝（１００％，１００％，１００％，０％）に対応するＬ*ａ*ｂ*］）
＋Ａｃｍｋ・（［予測対象用紙カラーパッチ（Ｃ，Ｍ，Ｙ，Ｋ）＝（１００％，１００％，０％，１００％）のＬ*ａ*ｂ*］−［Ｓ１０３において得られたプロファイルの（Ｃ，Ｍ，Ｙ，Ｋ）＝（１００％，１００％，０％，１００％）に対応するＬ*ａ*ｂ*］）
＋Ａｍｙｋ・（［予測対象用紙カラーパッチ（Ｃ，Ｍ，Ｙ，Ｋ）＝（０％，１００％，１００％，１００％）のＬ*ａ*ｂ*］−［Ｓ１０３において得られたプロファイルの（Ｃ，Ｍ，Ｙ，Ｋ）＝（０％，１００％，１００％，１００％）に対応するＬ*ａ*ｂ*］）
＋Ａｙｃｋ・（［予測対象用紙カラーパッチ（Ｃ，Ｍ，Ｙ，Ｋ）＝（１００％，０％，１００％，１００％）のＬ*ａ*ｂ*］−［Ｓ１０３において得られたプロファイルの（Ｃ，Ｍ，Ｙ，Ｋ）＝（１００％，０％，１００％，１００％）に対応するＬ*ａ*ｂ*］）
＋Ａｃｍｙ・（［予測対象用紙カラーパッチ（Ｃ，Ｍ，Ｙ，Ｋ）＝（１００％，１００％，１００％，０％）のＬ*ａ*ｂ*］−［Ｓ１０３において得られたプロファイルの（Ｃ，Ｍ，Ｙ，Ｋ）＝（１００％，１００％，１００％，０％）に対応するＬ*ａ*ｂ*］）
＋Ａｃｍｙｋ・（［予測対象用紙カラーパッチ（Ｃ，Ｍ，Ｙ，Ｋ）＝（１００％，１００％，１００％，１００％）のＬ*ａ*ｂ*］−［Ｓ１０３において得られたプロファイルの（Ｃ，Ｍ，Ｙ，Ｋ）＝（１００％，１００％，１００％，１００％）に対応するＬ*ａ*ｂ*］）
【００２０】
以上、本発明の色再現予測方法について具体例に基づいて説明した。次に、本発明のプロファイル作成方法について具体例に基づいて説明する。本発明のプロファイル作成方法における処理過程の一例をフロー図として図２に示す。ここでは、標準的な印刷用紙（たとえばコート紙）に印刷したときの基準となるＩＣＣプロファイル（基準用紙プロファイル）が存在しておりそれを利用することができる。また印刷色の予測対象用紙に印刷した２０色のカラーパッチについての測色値が存在しているものとする。また２０色における補助４色は網点％が５０％であるものとする。
まず、図２のステップＳ２０１（基準用紙プロファイルの用紙色情報の補正）において、基準用紙プロファイルにおける用紙色情報を予測対象用紙の用紙色に置き換え、用紙色の測色値を補正する。
【００２１】
次に、ステップＳ２０２（予測結果）において、Ｓ２０１において得られたプロファイルを使用して、２０色のカラーパッチの色再現（Ｌ*ａ*ｂ*）を予測し、予測対象用紙において実測したカラーパッチの色再現（Ｌ*ａ*ｂ*）との色差を演算する。色差が所定の許容範囲内であるか否かを判定する。すなわち、２０色の各々の色差、または２０色の平均色差、または色差に対する累積度数が閾値以下であるか否かを判定する。許容範囲内であれば、そのプロファイルを予測対象用紙のプロファイルとし処理過程を終了する。許容範囲外であれば、ステップＳ２０３に進む。
【００２２】
次に、ステップＳ２０３（基準用紙プロファイルの階調補正）において、Ｓ２０１において得られたプロファイルにおけるＣＭＹＫ／Ｌ*ａ*ｂ*テーブルからＣＭＹＫ各１次色（０から００％）の測色値を抜き出し、予測対象用紙のＣＭＹＫ各１次色（０％，５０％，１００％）の測色値を色差最小で再現するようにＣＭＹＫ／ＣＭＹＫ補正カーブを作成し、その補正カーブにしたがってＣＭＹＫ／Ｌ*ａ*ｂ*テーブルを補正することによって階調補正する（図２参照）。ここで、１次色の測色値の比較は、Ｓ２０１において得られたプロファイルから抜き出すＬ*ａ*ｂ*、予測対象用紙のカラーパッチのＬ*ａ*ｂ*ともに、それぞれの用紙色Ｃ０％＋Ｍ０％＋Ｙ０％＋Ｋ０％が（Ｌ*ａ*ｂ*）＝（１００，０，０）となるように用紙相対測色値に変換した値を用いる。
【００２３】
次に、ステップＳ２０４（予測結果）において、Ｓ２０３において得られたプロファイルを使用して、２０色のカラーパッチの色再現（Ｌ*ａ*ｂ*）を予測し、予測対象用紙において実測したカラーパッチの色再現（Ｌ*ａ*ｂ*）との色差を演算する。色差が所定の許容範囲内であるか否かを判定する。すなわち、２０色の各々の色差、または２０色の平均色差、または色差に対する累積度数が閾値以下であるか否かを判定する。許容範囲内であれば、そのプロファイルを予測対象用紙のプロファイルとし処理過程を終了する。許容範囲外であれば、ステップＳ２０５に進む。
【００２４】
次に、ステップＳ２０５（基準用紙プロファイルの色度予測）において、Ｓ２０３において得られたプロファイルから、下記の１６色に対するＬ*ａ*ｂ*を抜き出し、予測対象用紙のカラーパッチの１６色とのΔＬ，Δａ，Δｂを求める。
（１６色）
白    ：Ｃ０％＋Ｍ０％＋Ｙ０％＋Ｋ０％（用紙色）
１次色：Ｃ１００％，Ｍ１００％，Ｙ１００％，Ｋ１００％
２次色：Ｃ１００％＋Ｍ１００％，Ｍ１００％＋Ｙ１００％，Ｙ１００％＋Ｃ１００％，Ｃ１００％＋Ｋ１００％，Ｍ１００％＋Ｋ１００％，Ｙ１００％＋Ｋ１００％
３次色：Ｃ１００％＋Ｍ１００％＋Ｙ１００％，Ｃ１００％＋Ｍ１００％＋Ｋ１００％，Ｍ１００％＋Ｙ１００％＋Ｋ１００％，Ｙ１００％＋Ｃ１００％＋Ｋ１００％，
４次色：Ｃ１００％＋Ｍ１００％＋Ｙ１００％＋Ｋ１００％
【００２５】
予測対象用紙プロファイルの多次元ＬＵＴにおける格子数を決定する。Ｓ２０３において得られたプロファイルから周知の補間法を適用した演算によって、その決定した格子数によって均等分割したＣＭＹＫの全掛合せに対応するＬ*ａ*ｂ*を算出する。ここで、格子数によって均等分割したＣＭＹＫの全掛合せではなく、ＩＳＯ／ＤＩＳ１２６４２  （ＩＴ８．７／３）等のカラーチャートにおけるＣＭＹＫの掛合せ値を用いてもよい。
【００２６】
次に、ステップＳ２０６（予測結果の色度補正）において、決定した格子数によって均等分割したＣＭＹＫの全掛合せの各々について、網点再現したときのＳ２０５における１６色の面積比率に応じて、ステップＳ２０５のΔＬ，Δａ，Δｂをその複数指定したＣＭＹＫ値に対応するＬ*ａ*ｂ*に加算する。すなわち、前述の数３に示した式を適用する。
【００２７】
次に、ステップＳ２０７（予測対象用紙プロファイル形式保存）において、Ｓ２０６において得られた決定した格子数によって均等分割したＣＭＹＫの全掛合せの各々の演算結果を、ＩＣＣプロファイル形式で保存する。
【図面の簡単な説明】
【００２８】
【図１】本発明の色再現予測方法における処理過程の一例をフロー図として示す図である。
【図２】本発明のプロファイル作成方法における処理過程の一例をフロー図として図２に示す。
【図３】色差最小で再現するようにしたＣＭＹＫ階調補正カーブの作成方法を説明する説明図である。
【符号の説明】
【００２９】
Ｓ１０１〜Ｓ１０６  本発明の色再現予測方法における処理過程
Ｓ２０１〜Ｓ１０７  本発明のプロファイル作成方法における処理過程
【図１】
2006121124.tif 000003
【図２】
2006121124.tif 000004
【図３】
2006121124.tif 000005